(57)【要約】【課題】この発明は、屋根の棟木付近にダクトを取付けて自然換気することを目的としたものである。【解決手段】この発明は、左右野地板の上端部の間へ、Ｔ型ダクトの縦ダクトを昇降自在に取付け、前記Ｔ型ダクトの横ダクトを、棟木の下部へ嵌装すると共に、前記横ダクトの開口部を、夫々通気性・不透水シートで閉塞したことを特徴とする棟部換気装置により、目的を達成した。【選択図】図１
2007162424.tif 000002
【特許請求の範囲】
【請求項１】
左右野地板の上端部の間へ、Ｔ型ダクトの縦ダクトを昇降自在に取付け、前記Ｔ型ダクトの横ダクトを、棟木の下部へ嵌装すると共に、前記横ダクトの開口部を、通気性・不透水シートで夫々閉塞したことを特徴とする棟部換気装置。
【請求項２】
縦ダクトの取付けは、左右野地板へ固定した取付板の縦板へ釘又はボルトで固定したことを特徴とする請求項１記載の棟部換気装置。
【請求項３】
ダクトは断面方形としたことを特徴とする請求項１記載の棟部換気装置。
【請求項４】
通気性・不透水シートは、合成樹脂製不織布に撥水処理を施したことを特徴とする請求項１記載の棟部換気装置。
【請求項５】
瓦とＴ型ダクトとの間隙は屋根土又は発泡合成樹脂で閉塞したことを特徴とする請求項１記載の棟部換気装置。
【請求項６】
左右野地板の上端部の間へ、Ｔ型ダクトの縦ダクトを昇降自在に取付け、前記Ｔ型ダクトの横ダクトを、棟木の下部へ嵌装すると共に、前記横ダクトの開口部を、夫々通気性・不透水シートで閉塞し、前記横ダクトの両端部と、冠瓦の内壁との間へ補助ダクトを連結したことを特徴とする棟部換気装置。
【請求項７】
棟木へ、棟木と直角方向に通気ダクトを架設すると共に、前記通気ダクトの下面と、野地板の上端部との間へ伸縮可能なシートを張設して、屋根下と、前記ダクトの間に通気路を構成し、前記通気ダクト内の上下壁面へ通気を屈曲流動させる為に夫々案内片を突設したことを特徴とする棟部換気装置。
【請求項８】
伸縮可能なシートは、耐候性合成樹脂シート、アルミニューム箔、又は耐候性合成樹脂シートにアルミニュームをラミネートしたシートに、プリーツ加工したことを特徴とする請求項７記載の棟部換気装置。
【発明の詳細な説明】
【技術分野】
【０００１】
この発明は、屋根の棟部からの室内換気に際し、棟木と、野地板との距離の大小に拘らず、同一形状のダクトを使用し得ると共に、通気面積の調節を可能にし、かつ通気口へ通気性・不透水手段を設けることを目的とした棟部換気装置に関する。
【背景技術】
【０００２】
従来室内の換気については、天井の排気口と連なる排気ダクトが設けられている。
【０００３】
また屋根の棟木と瓦との隙間から自然換気することも提案され、実施されている。
【特許文献１】特公平２−５２０６５
【特許文献２】特公平２−５１０２４
【特許文献３】特許第３５９２５５７号
【発明の開示】
【発明が解決しようとする課題】
【０００４】
従来使用されている排気ダクトは、動力排気が普通であり、火災時に通気部から延焼を招くおそれがあるので、自動ダンパー（火災の熱を検知して自動的に閉るダンパー）を設けなければならないなど、設備費の高騰を招くことにより、個人住宅などでは、採用されない問題点があった。
【０００５】
また棟瓦と、屋根瓦の隙間から換気する方式は、瓦の形状の変る毎に換気棟に要する部材が異なる問題点があった。
【０００６】
また前記棟瓦からの換気口は、寸法が定まっており、部屋の容積の変化に対応するものがない問題点があった。
【０００７】
更に通気口からの雨水の侵入、虫などの侵入防止ができない問題点もあった。
【課題を解決するための手段】
【０００８】
この発明は、棟木と、野地板の上端部との間に、広狭調節自在の通気部を設け、この通気口へ通気・防水手段を設けることによって、前記従来の問題点を解決したのである。
【０００９】
即ちこの発明は、左右野地板の上端部の間へ、Ｔ型ダクトの縦ダクトを昇降自在に取付け、前記Ｔ型ダクトの横ダクトを、棟木の下部へ嵌装すると共に、前記横ダクトの開口部を、通気性・不透水シートで夫々閉塞したことを特徴とする棟部換気装置であり、縦ダクトの取付けは、左右野地板へ固定した取付板の縦板へ釘又はボルトで固定したものである。
【００１０】
また、ダクトは断面方形としたものであり、通気性・不透水シートは、合成樹脂製不織布に撥水処理を施したものであり、瓦とＴ型ダクトとの間隙は屋根土又は発泡合成樹脂（例えばポリプロピレン又はエチレン）で閉塞したものである。
【００１１】
次に他の発明は、左右野地板の上端部の間へ、Ｔ型ダクトの縦ダクトを昇降自在に取付け、前記Ｔ型ダクトの横ダクトを、棟木の下部へ嵌装すると共に、前記横ダクトの開口部を、夫々通気性・不透水シートで閉塞し、前記横ダクトの両端部と、冠瓦の内壁との間へ補助ダクトを連結し、該補助ダクトの外端口へフィルターを張設した（フィルターを設けないこともある）ことを特徴とする棟部換気装置であり、フィルターは、網又は不織布に撥水処理及び難燃加工し、又は撥水性を有する繊維を使用したものである。更に他の発明は、棟木へ、棟木と直角方向に通気ダクトを架設すると共に、前記通気ダクトの下面と、野地板の上端部との間へ伸縮可能なシートを張設して、屋根下と、前記ダクトの間に通気路を構成し、前記通気ダクト内の上下壁面へ通気を屈曲流動させる為に夫々案内片を突設したことを特徴とする棟部換気装置であり、伸縮可能なシートは、耐候性合成樹脂シート、アルミニューム箔、又は耐候性合成樹脂シートにアルミニュームをラミネートしたシートに、プリーツ加工したものである。
【００１２】
この発明は、野地板の上端部と、棟木の下縁部との間に屋根下部と、外界とを連通させる通気口を設けたので、換気が最も合理的である。
【００１３】
また前記通気口へ、通気できて、しかも水の入らない通気・防水手段を設けたので、比較的広い通気口であっても、雨水が入るおそれはない。前記発明によれば、通気口の広狭調節手段を設けたので、部屋の容積によって通気口の面積を適当に選択することができる。
【発明の効果】
【００１４】
この発明によれば、野地板と棟木との距離の大小に拘りなく、同一Ｔ型ダクトを設置し、部屋の容積に対応して通気面積を選定できると共に、通気自由に拘らず、雨水等の侵入を防止し得る効果がある。
【００１５】
この発明は、従来使用されている野地板と棟木との間に設置するので、従来の家屋などの構造、瓦の形状を変更することなく、採用し得ると共に、建築工事職人（例えば木工職人又は屋根瓦職人）が容易に設置できる。また、この施工によって工期に影響を及ぼすおそれがないなどの効果がある。単に必要材料があれば、簡単かつ短時間に施工することができる。
【００１６】
また金属板を使用し、Ｔ型ダクトを予め成形しておけば、単に位置合せして釘又はボルト或いはビス固定により作業を完了することができる。
【発明を実施するための最良の形態】
【００１７】
この発明は、左右野地板上へ立設した取付板の縦板へ、Ｔ型ダクトの縦ダクトを昇降調節自在に固定する。また前記Ｔ型ダクトの横ダクトの上部に設けた孔へ棟木の下縁部を挿入して固定する。前記において、Ｔ型ダクトは昇降調節ができるので、棟部の形状、構造が異なる場合であっても、取付け形状の変更の自由度が大きくなるから、同一構造のＴ型ダクトを幅広く対応させて設置することができる。また結果的に、Ｔ型ダクトを上昇して設置すれば、棟木下縁と、横ダクトの下面との距離が小さくなるので、通気面積が少なくなり、またＴ型ダクトを下降させて設置すれば、棟木下縁と、横ダクトの下面との距離が大きくなるので、通気面積が大きくなる。従って、通気面積を容易に調整することができる。前記横ダクトと、棟木の隙間は棟木覆５ｃの昇降により、容易に塞ぐことができる。前記によれば、同一寸法の取付板とＴ型ダクトで、棟構造の異なる場所へ設置できる。
【００１８】
前記横ダクトの開口部には、不織布に撥水処理及び難燃処理（又はフッ素繊維使用）をした通気性・不透水シートが張設してあるので、通気容易で侵水できないことになり、目的を達成することができる。
【実施例１】
【００１９】
この発明の実施例を図１、２について説明すると、図１において、左右野地板１、１の上端部へ金属製の取付板２、２を設置し、前記取付板２、２の縦板２ａ、２ａへ、断面方形のＴ型ダクト５の縦ダクト５ａをボルト３、３で固定し、Ｔ型ダクト５の横ダクト５ｂの切込口５ｃを棟木に嵌装して、この発明の換気装置１５が完成する。従って、棟木４の嵌入量の多寡によって、通気断面積（ａ部）が定まる。例えば、Ｔ型ダクト５を矢示６のように下降させると、前記通気断面積は広くなり、矢示７のように上昇させると、通気断面積は狭くなる。図中８は瓦、９は瓦桟、１０は屋根土（気密性、水密性、付着性）、１１は冠瓦、１２、１３は止釘、１４は通気性・不透水シートである。
【００２０】
前記通気性・不透水シート１４は、例えば不織布を撥水処理したものであって、通気性があるが、不透水性である。
【００２１】
前記のようにＴ型ダクトを昇降することにより、通気断面積を制御することができる。
【００２２】
前記実施例において、室内の空気は、矢示１６のように上昇すると、縦ダクト５ａ内を矢示１７のように通過し、横ダクト５ｂを矢示１８、１８のように通過し、矢示１９のように外界へ排気される。前記室内へは、他所（例えば空調機）から新しい空気が入るので換気される。
【００２３】
また外界から矢示２０、２０のように、風、雨水などが入っても、不透水シート１４により阻止され、雨水がダクト５ｂ内へ入るおそれなく、当然のこと乍ら虫などもダクト５ｂへ入るおそれはない。
【実施例２】
【００２４】
この発明の他の実施例を図３、４に基づいて説明する。図３、４は、野地板と棟木との距離が大きい場合（図３）又は小さい場合（図４）であって、本質的に同一技術思想であるが、具体的構造は若干異なる。但し同一趣旨の部材には原則として図１の実施例と同一符号を付した。
【００２５】
図３の実施例において、左右野地板１、１の上端部へ金属製の取付板２、２を設置し、前記取付板２、２の縦板２ａ、２ａへ、断面方形のＴ型ダクト５の縦ダクト５ａをボルト３、３で固定し、Ｔ型ダクト５の横ダクト５ｂの切込口５ｃを棟木に嵌装して、この発明の換気装置１５が完成する。従って、棟木４の嵌入量の多寡によって、通気断面積（ａ部）が定まる。前記横ダクト５ｂには、補助ダクト５ｄ、５ｄが突設されて、その先端は冠瓦１１の内壁に達し、その開口部にメッシュ１４ａを張設してある。前記横ダクト５ｂの開口部にも通気性・不透水シート１４が張設してあり、この発明の換気装置１５ａが完成する。図中８は瓦、９は瓦桟、１０は屋根土、１２、１３は止釘である。
【００２６】
図３の（ｂ）図は、補助ダクト５ｄの外端に自動開閉板２１を軸２２で回動自在に取付けたものである。この自動開閉板２１は、矢示２３のように排気される時は矢示２５のように開き、矢示２４のように外力（風、雨）が掛ると、鎖線図示２６ａのように閉る。
【００２７】
次に図４について説明すると、左右野地板１、１の上端部へ金属製の取付板２、２を設置し、前記取付板２、２の縦板２ａ、２ａへ、断面方形のＴ型ダクト５の縦ダクト５ａをボルト３、３で固定し、Ｔ型ダクト５の横ダクト５ｂの切込口５ｃを棟木に嵌装して、この発明の換気装置１５が完成する。従って、棟木４の嵌入量の多寡によって、通気断面積（ａ部）が定まる。前記横ダクト５ｂには、補助ダクト５ｄ、５ｄが突設されて、その先端は冠瓦１１の内壁に達し、その開口部にメッシュ１４ａを張設してある。前記横ダクト５ｂの開口部にも通気性・不透水シート１４が張設してあり（前記メッシュ１４ａ又は不透水シート１４の何れか一方又は両方とする）、この発明の換気装置１５ａが完成する。図中８は瓦、９は瓦桟、１０は屋根土、１２、１３は止釘である。この実施例は、図３の実施例に較べて、棟木４と、野地板１、１の上端部との距離が近接しており、かつ瓦８と、補助ダクト５ａとの間をシーラー２６で閉上している点が異なるが、換気時の空気の流動は同一であるから、詳細な説明は省略する。
【００２８】
前記図３は、棟木４と、野地板１、１との距離が大きい場合であり、図３は棟木４と野地板１、１との距離が小さい場合であって、その他の作用効果は同一である。前記において、Ｔ型ダクト５へ切込口５ｃが予め設けてある場合には、棟木４の下面に嵌装した枠材５９により、棟木４とダクト５の切込口との隙間を埋めるようにしてある。
【実施例３】
【００２９】
この発明の他の実施例を図５に基づいて説明すると、左右野地板１、１の上端部と、棟木４に嵌着したダクト２７、２７の下面との間に、プリーツ加工した強靭なシート２８、２８（例えば、耐候性の合成樹脂布に強化処理し、これにプリーツ加工したシート）を張設して空気通路とし、前記ダクト２７、２７の吸入口２７ａ、２７ａと連通させてある。前記ダクト２７、２７は、断面方形で出口側２７ｂ（冠瓦に接する側）を小径としたテーパーに形成し、かつ斜下向とし、内部に流動方向を屈曲させる為の突片２７ｃ、２７ｄが設けてあって、この発明の換気装置６０が構成される。図中８は瓦、９は瓦桟、１０は屋根土、１１は冠瓦、１２、１３は止釘である。
【００３０】
前記実施例において、部屋内の空気は、矢示２９のように上昇し、野地板１、１の透孔１ａ、１ａを経て空気通路を矢示３０のように上昇し、ついでダクト２７の吸入口２７ａ、２７ａを矢示３１のように上昇して、ダクト２７内へ入り、矢示３２、３３のように流動して、矢示３４のように冠瓦１１の下方へ排出される。
【００３１】
前記実施例において、冠瓦１１の下部から矢示３５のように外気（又は雨）が侵入しようとした場合には、ダクト内の突片２７ｃ、２７ｄが障害となって、内部まで入ることは殆んどないが、ダクト口に不透水シート１４を張設することが好ましい。
【００３２】
この実施例によれば、野地板１、１とダクト２７、２７との間をプリーツ加工したシート（例えばアルミニューム箔にプリーツ加工したシート）で連結閉塞するので、前記野地板とダクトの距離に変動があっても、容易に対応し得る効果がある。従って、通気路形成の為に、複数のタイプを用意する必要がない。
【実施例４】
【００３３】
この発明の他の実施例を図６について説明すると、左右野地板１、１の上端部上へ、瓦８、８を支持する二段枠３６を設置し、該二段枠３６の上段板３６ａに設けた突条３６ｂへ、瓦８、８の端縁の掛止部３８ａを掛止する。
【００３４】
前記二段枠３６は、耐熱合成樹脂（例えばポリプロピレン）製であって、野地板１、１上へ当接する下段板３６ｃ上に隔板３６ｄを介して、所定の間隔をとって、上段板３６ａを設けて構成され、野地板１と、瓦８との間に通気用の間隙３７（例えば３ｃｍ〜８ｃｍ）を設けるために介装されている。従って、隔板３６ｄには通気孔３６ｅを設け、通気孔３６ｅにフィルター３８を張設して、この発明の換気装置４０を構成する。前記フィルター３８は耐熱性合成樹脂繊維（例えばフッ素繊維）の不織布であって、撥水性があり、通気性を有すると共に、防水性（水を通過させない）を有することが要件とされている。図中４は棟木、１１は冠瓦、１３は止釘、２６はシーラー、３９は棟木の支持部材である。
【００３５】
前記実施例において、室内の空気は、矢示４１のように上昇し、矢示４２、４３のように流動して、瓦８の下部を通過し、外界へ排出される。瓦８の下部から矢示４４のように逆流する雨水などは、通気孔３６ｅ、３６ｆの突縁３６ｄ、３６ｇにより阻止されると共に、フィルター３８で遮断されるので、雨水等が室内に入るおそれはない。
【実施例５】
【００３６】
この発明の他の実施例を図７により説明すると、野地板１、１の上部へ、スレート４５、４５を敷設し、スレート４５、４５の上端部の上部へ、止桟４６、４６を固定し、該止桟４６、４６へ、排気筒４７の下端部を止釘１３で固定する。前記排気筒４７の上端部に上部を円錐状に形成した冠体４８を被冠してこの発明の換気装置５０を構成する。
【００３７】
前記排気筒４７と、冠体４８との間に排気路を設け、排気筒４７の上部筒４７ａに通気孔４７ｂを設け、通気孔４７ｂに耐熱、耐水性のフィルター４９を張設する。前記フィルター４９は、例えばフッ素繊維よりなる織布（又は不織布）であって、撥水性を有し、水分の逆流を阻止する特性がある。
【００３８】
前記実施例において、室内の空気は、矢示５１、５２のように上昇し、フィルター４９を矢示５３のように通過した後、屈曲孔５４を経て矢示５５のように外界へ排出される。また前記とは逆方向（矢示５６、５７、５８）に外気を入れることもできるが、水分は、屈曲孔５４及びフィルター４９に阻止されるので、室内に入るおそれはない。
【００３９】
前記実施例は、スレート屋根の場合であり、棟部に排気筒を設ける場合の一例を示すものである。
【図面の簡単な説明】
【００４０】
【図１】この発明の実施例の断面図。
【図２】同じくＴ型ダクトの斜視図。
【図３】（ａ）同じく棟木と野地板の距離が大きい実施例の断面図、（ｂ）同じくダクトの他の例を示す断面図。
【図４】同じく棟木と野地板の距離が小さい実施例の断面図。
【図５】同じく野地板とダクトとの間を伸縮自在のシートで閉塞した実施例の断面図。
【図６】同じく瓦の下部に通気する実施例の断面図。
【図７】同じくスレート屋根の実施例の断面図。
【符号の説明】
【００４１】
１  野地板
２  取付板
４  棟木
５  Ｔ型ダクト
８  瓦
９  瓦桟
１０  屋根土
１１  冠瓦
１２、１３  止釘
１４  通気性・不透水シート
１５、１５ａ、１５ｂ、４０、５０、６０  換気装置
２７  ダクト
２８  シート
３５  換気装置
【図１】
2007162424.tif 000003
【図２】
2007162424.tif 000004
【図３】
2007162424.tif 000005
【図４】
2007162424.tif 000006
【図５】
2007162424.tif 000007
【図６】
2007162424.tif 000008
【図７】
2007162424.tif 000009